(57)【特許請求の範囲】
【請求項１】
外部音を感知する音感知手段を有し、この音感知手段により外部音を感知して所定の回路部品の動作を制御する制御装置において、被覆体内に前記音感知手段が設置され、前記被覆体が手等を触れた際に内部音を発生するように構成され、前記音感知手段により前記内部音を感知して所定の回路部品の動作を制御するように構成されたことを特徴とする制御装置。
【請求項２】
外部音を感知する音感知手段を有し、この音感知手段により外部音を感知して所定の回路部品の動作を制御する制御装置において、少なくとも一部が柔軟性を有する被覆体内に前記音感知手段が設置され、前記柔軟性を有する部分が外部から手等を触れた際に内部音を発生するように構成され、前記音感知手段により前記内部音を感知して所定の回路部品の動作を制御するように構成されたことを特徴とする制御装置。
【請求項３】
前記被覆体は、前記柔軟性を有する部分が外部から手等を触れた際に内部音を発生するような材質で構成されていることを特徴とする請求項２記載の制御装置。
【発明の詳細な説明】
【０００１】
【発明の属する技術分野】
この発明は、外部音を感知する音感知手段を有し、この音感知手段により外部音を感知して所定の回路部品の動作を制御する制御装置に関するものである。
【０００２】
【従来の技術】
従来、この種の制御装置は、例えば、音センサ（音感知手段）で感知した音（外部音）が可聴帯域以上の音の場合に、植物を模した人形が踊り出すというフラワーロック（商品名）等に組み込まれている。
また、この種の制御装置は、例えば、玩具本体の特定部分に触れると、圧力センサ（圧力感知手段）がこれを感知して、この感知結果に基づいて、玩具内に内蔵されたスピーカから音を発する玩具（例えば、特開平１０−０２４１７３号公報等）にも組み込まれている。
【０００３】
【発明が解決しようとする課題】
ところで、このような制御装置が組み込まれた玩具等にあっては、外部音を感知した場合は勿論のこと、例えば玩具自体に人の手等が触れた場合にも、玩具に所定の動作等をさせたい場合がある。このようにするには、従来、外部音を感知する音センサのほかに、他のセンサ例えば圧力センサを玩具本体内の所定部位に付設するのが普通であった。しかし、玩具本体内にいくつものセンサを付設するとすれば、その分、玩具の値段が嵩んでしまうと共に、各センサに接続される配線の引き回しなどが繁雑になるという問題があった。また、玩具のどの部分を触っても玩具に所定の動作等をさせようとするには、玩具の内部の多数箇所に圧力センサ等を設ける場合に、その傾向は顕著であった。
【０００４】
本発明は、上記事情を鑑みてなされたものであって、外部音を感知した場合は勿論、音感知手段を被覆する被覆体の任意の部分を触っても作動する制御装置を提供することを目的とする。
【０００５】
【課題を解決するための手段】
請求項１記載の制御装置は、外部音を感知する音感知手段を有し、この音感知手段により外部音を感知して所定の回路部品の動作を制御する制御装置において、被覆体内に前記音感知手段が設置され、前記被覆体が手等を触れた際に内部音を発生するように構成され、前記音感知手段により内部音を感知して所定の回路部品の動作を制御するように構成されたことを特徴とする。また、請求項２記載の制御装置は、外部音を感知する音感知手段を有し、この音感知手段により外部音を感知して所定の回路部品の動作を制御する制御装置において、少なくとも一部が柔軟性を有する被覆体内に前記音感知手段が設置され、前記柔軟性を有する部分が外部から手等を触れた際に内部音を発生するように構成され、前記音感知手段により内部音を感知して所定の回路部品の動作を制御するように構成されたことを特徴とする。「触れる」とは、弱く触れる場合（例えば撫でる場合）と、強く触れる場合つまり押したり叩く場合を含む。
この制御装置によれば、音感知手段によって、音感知手段が外部音を入力した際だけでなく、内部音が発生した際、つまり柔軟性を有する部分に外部から手等が触れた際にも、所定の回路部品の制御がされることになる。そして、この制御装置によれば、一の音感知手段を音センサのみならず実質的に圧力センサとしても機能させることができ、音センサおよび圧力センサの双方を設ける場合に比べて、制御装置の構成を簡素とすることができる。
【０００６】
請求項３記載の制御装置は、請求項２記載の制御装置において、前記被覆体は、前記柔軟性を有する部分が外部から手等を触れた際に内部音を発生するような材質で構成されていることを特徴とする。
この制御装置によれば、被覆体の柔軟性を有する部分に外部から触れると、被覆体自体が内部音を発生することになる。
【０００８】
【発明の実施の形態】
以下に、本発明に係る制御装置の実施の形態について図面を参照しながら説明する。
図１は、本発明の制御装置を組み込んだ人形玩具の外部構成を示す斜視図であり、図２は、図１の人形玩具の内部回路構成を示すブロック図である。
図１に示す人形玩具１は、玩具本体部２が動物を模した外観形状を有している。前記玩具本体部２の表面部２１は、軟質で厚手の合成樹脂（塩化ビニル樹脂）から出来ている。この人形玩具１は、話しかけたり、表面部２１を押すことにより、所定の音声を出したり、手や耳等を動作させたり、頬を光らせたりするようになっている。
【０００９】
すなわち、前記玩具本体部２の口部には所定の開口２３が形成されている。そして、玩具本体部２内には、前記開口２３の近くにコンデンサマイク３（図２）が設置されている。このコンデンサマイク３は、外部からの音声（外部音）を入力したり、あるいは玩具本体部２の内部音を入力する。このコンデンサマイク３によって入力された音声信号は増幅回路４によって増幅され、判定回路５に送られる。判定回路５では、例えば可聴域の音であるか否か等が判定され、例えば可聴域の音である場合のみその判定結果が良好の場合だけ制御部９へ送られるようになっている。特に限定はされないが、これらコンデンサマイク３、増幅回路４、判定回路５および制御部９によって制御装置が構成されている。また、この人形玩具１は、制御装置の制御対象物としての音声出力部６、駆動部７および発光部８を備えている。また、音声の出力、手や耳等の動作、頬の発光のいずれかのモードを選択するための切換スイッチＳＷ１〜ＳＷ３を備えている。
【００１０】
前記制御部９は、前記判定回路５から出力された判定結果と切換スイッチＳＷ１〜３から出力された切換信号の入力に基づいて適宜に音声出力部６、駆動部７または発光部８の制御を行う。
例えば、前記切換スイッチ（ＳＷ１）がオンされると、前記制御部９にＳＷ１信号が入力され、この状態で前記判定結果が制御部９に入力されると、制御部９は音声出力信号を前記音声出力部６に出力するようになっている。また、前記切換スイッチ（ＳＷ２）がオンされると、前記制御部９にＳＷ２信号が入力され、この状態で前記判定結果が制御部９に入力されると、制御部９は動作信号を前記駆動部７に出力するようになっている。更に、前記切換スイッチ（ＳＷ３）がオンされると、前記制御部９にＳＷ３信号が入力され、この状態で前記判定結果が制御部９に入力されると、制御部９は発光信号を前記発光部８に出力するようになっている。
【００１１】
前記音声出力部６は、更に図示しない音声回路、Ｄ／Ａ変換器、増幅回路、及びスピーカ等を備えている。そして、前記制御部９からの音声出力信号がＤ／Ａ変換器によりアナログ変換・増幅されて、その音声出力信号に基づく音声が、例えば、玩具本体部２の口等の内側に配設されたスピーカから出力されるようになっている。
前記駆動部７は、更に図示しないモータやリンク機構部、或いは歯車機構部などを備え、前記制御部９からの動作信号に基づいてモータが回転し、この回転駆動力がリンク機構部或いは歯車機構部等に伝達されて玩具本体部２が所定の動作（手や耳が動いたりする動作）を行うようになっている。
【００１２】
前記発光部７は、更に図示しないＬＥＤ（Light  Emiting  Diode）などを備えていて、前記制御部９からの発光信号に基づいて、例えば、玩具本体部２の頬の内側に配設された発光部８が発光するようになっている。
【００１３】
このように構成された人形玩具１によれば、以下のような遊びができる。
即ち、玩具本体部２内に電池を入れた後、ＳＷ１をオンにし、この状態で人形玩具１に話しかけると、その音声（外部音）がコンデンサマイク３に入力され、増幅回路４で増幅され、判定回路５から判定結果が制御部９に入力される。
そして、この判定結果と前記ＳＷ１信号との入力によって制御部９から音声出力信号が音声出力部６に出力され、所定の音声が玩具本体部２の中から出力される。
【００１４】
また、ＳＷ１がオンされた状態でこの人形玩具１の玩具本体部２の一部を押すと、表面部２１が変形して内部音を発する。この内部音がコンデンサマイク３に入力され、増幅回路４で増幅され、判定回路５から判定結果が制御部９に入力される。
そして、この判定結果と前記ＳＷ１信号との入力によって制御部９から音声出力信号が音声出力部６に出力され、所定の音声が玩具本体部２の中から出力される。
【００１５】
続いて、ＳＷ２をオンし、この状態で人形玩具１に話しかけると、その音声（外部音）がコンデンサマイク３に入力され、増幅回路４で増幅され、判定回路５から判定結果が制御部９に入力される。
そして、この判定結果と前記ＳＷ２信号との入力によって制御部９から動作信号が駆動部７に出力され、玩具本体部２により所定の動作が行われる。
【００１６】
また、ＳＷ２がオンし、この状態で人形玩具１の玩具本体部２の一部を押すと、その音声（外部音）がコンデンサマイク３に入力され、増幅回路４で増幅され、判定回路５から判定結果が制御部９に入力される。
そして、この判定結果と前記ＳＷ２信号との入力によって制御部９から動作信号が駆動部７に出力され、玩具本体部２により所定の動作が行われる。
【００１７】
更に続いて、ＳＷ３をオンし、ＳＷ２をオンし、この状態で人形玩具１に話しかけると、その音声（外部音）がコンデンサマイク３に入力され、増幅回路４で増幅され、判定回路５から判定結果が制御部９に入力される。
そして、この判定結果と前記ＳＷ３信号との入力によって制御部９から発光信号が発光部８に出力され、玩具本体部２の所定の部位が発光する。
【００１８】
また、ＳＷ３がオンし、この状態で人形玩具１の玩具本体部２の一部を押すと、その音声（外部音）がコンデンサマイク３に入力され、増幅回路４で増幅され、判定回路５から判定結果が制御部９に入力される。
そして、この判定結果と前記ＳＷ３信号との入力によって制御部９から発光信号が発光部８に出力され、玩具本体部２の所定の部位が発光する。
【００１９】
以上の人形玩具１によれば、外部音を感知した場合のほか、玩具本体部２の表面部２１が押圧されることにより内部音が発生され、この内部音によって、所定の動作、表示が行われるので、遊びに変化を持たせることができ、飽きにくいものとなる。
また、この人形玩具１によれば、一の音感知手段が音センサのみならず実質的に圧力センサの働きもすることになり、音センサおよび圧力センサの双方を設ける場合に比べて、制御装置の構成が簡素となる。
【００２０】
以上、本発明の実施形態について説明したが、本発明は、かかる実施形態に限定されるものではなく、その要旨を逸脱しない範囲で、種々の変形が可能であることはいうまでもない。
例えば、前記実施形態では、人形玩具１における玩具本体部３の表面部２１をケースとした例について述べたが、乗り物玩具その他の玩具あるいは装置に適用できることはいうまでもない。
【００２１】
なお、例えば外部音の波長域と内部音の波長域とを区別して感知ないしは判定できるように構成すれば、外部音と内部音とを感知した場合に、人形玩具１に異なる動作をさせることができる。
【００２２】
【発明の効果】
本発明の代表的なものの効果を説明すれば、外部音を感知する音感知手段を有し、この音感知手段により外部音を感知して所定の回路部品の動作を制御する制御装置において、少なくとも一部が柔軟性を有する被覆体内に前記音感知手段が設置され、前記柔軟性を有する部分に外部から手等を触れた際に内部音を発生するように構成され、前記音感知手段により内部音を感知して所定の回路部品の動作を制御するように構成されているので、一の音感知手段によって、音感知手段が外部音を入力した時だけでなく、内部音ひいては柔軟性を有する部分に外部から触れた際にも、所定の回路部品の制御がされることになる。
【図面の簡単な説明】
【図１】本発明を好適に実施した音声判別玩具の外部構成を示す斜視図である。
【図２】図１の音声判別玩具の内部構成を示すブロック図である。
【符号の説明】
１    人形玩具
２    玩具本体部
３    コンデンサマイク（音声入力手段）
６    音声出力部
７    駆動部
８    発光部
９    制御部
２１    表面部
【図１】
0003703982.tif 000002
【図２】
0003703982.tif 000003